(57)【要約】      （修正有）【課題】片手で簡単かつ確実に開蓋動作及び閉蓋動作をすることができる操作性の良好なノック式化粧容器の提供。【解決手段】キャップ１は基端部に操作つまみ２５が連設される内側ケーシング２３及び該内側ケーシングの先端部から上記操作つまみまでを被覆する。キャップ１は外蓋２と内蓋３とからなる。内蓋３は上死点方向に付勢される。外蓋２の底部にガイド部５を設け、該ガイド部の中央部に設ける柱状突起１１の正面１３にならい体１５を突設する。該ならい体に内蓋３に連動する可動ロッド２９に設けたカム状部３３をならわせ、ならい体に沿って形成するカム溝路１９にカム状部３３を一方向に循環して摺動させる。カム溝路の基点Ｐ１はならい体の分岐部１７に対し往路又は復路のいずれかの側に偏心して形成される。開蓋動作及び閉蓋動作はいずれも操作つまみ２５のワンプッシュによるカム状部３３のカム溝路１９上の移行過程ですることができる。【選択図】図１
2007061392.tif 000002
【特許請求の範囲】
【請求項１】
基端部に操作つまみが連設される内側ケーシング及び該内側ケーシングの先端部から上記操作つまみまでを被覆するキャップを有するノック式の化粧容器であって、上記キャップは外蓋と内蓋とからなり、上記内蓋は上死点方向に付勢され、上記外蓋の底部にガイド部を設け、該ガイド部の中央部に設ける柱状突起の一の面にならい体を突設し、該ならい体に上記内蓋に連動するカム状部をならわせ、上記ならい体に沿って形成するカム溝路に上記カム状部を一方向に循環して摺動させることを特徴とするノック式化粧容器。
【請求項２】
請求項１記載のノック式化粧容器において、上記カム溝路の基点が上記ならい体の分岐部に対し往路又は復路のいずれかの側に偏心して形成されることを特徴とするノック式化粧容器。
【請求項３】
請求項１記載のノック式化粧容器において、上記カム状部は下死点時に上記ならい体の係止凹部に係止され、上死点時に上記基点に位置することを特徴とするノック式化粧容器。
【請求項４】
請求項１記載のノック式化粧容器において、上記カム溝路が上記柱状突起の一の面であって上記ならい体の外周に形成されることを特徴とするノック式化粧容器。
【請求項５】
請求項１記載のノック式化粧容器において、上記カム状部が上記内蓋に枢支される可動ロッドに設けられることを特徴とするノック式化粧容器。
【請求項６】
請求項３記載のノック式化粧容器において、上記係止凹部の出口側が傾斜面に形成されることを特徴とするノック式化粧容器。
【請求項７】
請求項１記載のノック式化粧容器において、上記内蓋を上死点方向に付勢する手段がコイルスプリングからなることを特徴とするノック式化粧容器。
【請求項８】
請求項１記載のノック式化粧容器において、上記コイルスプリングを上記ガイド部と上記柱状突起との間に装着することを特徴とするノック式化粧容器。
【請求項９】
請求項８記載のノック式化粧容器において、上記コイルスプリングを上記ガイド部の内壁に沿わせてたわませることを特徴とするノック式化粧容器。
【請求項１０】
請求項８記載のノック式化粧容器において、上記ガイド部の内壁を内側に膨設させ、上記コイルスプリングをこの膨設した内壁に沿わせてたわませることを特徴とするノック式化粧容器。
【請求項１１】
請求項８記載のノック式化粧容器において、上記柱状突起の外壁を外側に膨設させ、上記コイルスプリングをこの膨設した外壁に沿わせてたわませることを特徴とするノック式化粧容器。
【発明の詳細な説明】
【技術分野】
【０００１】
本願発明は、口紅等の棒状化粧料、又は、化粧用筆、ブラシ、アトマイザー等の化粧用具を収納する化粧容器に関し、とくにキャップを改良し、化粧容器としては初のノック式としたノック式化粧容器に関する。
【背景技術】
【０００２】
口紅容器のような棒状の内容物を収納する容器においては、通常、回転自在の操作つまみを操作することにより、内側ケーシング内に収納する中皿を昇降させ、中皿に収納する化粧料を繰り出しまたは繰り入れる構造となっており、キャップは内側ケーシングのみを被覆している。化粧料を使用するに当たり、キャップを開けるには、一方の手でキャップをつかみ、他方の手で操作つまみをつかんで互いに反対方向に引張らなければならず、また使用後キャップを閉じるには、反対の動作によりキャップを内側ケーシングに装着しなければならない。
【発明の開示】
【発明が解決しようとする課題】
【０００３】
しかしながら、このような開蓋動作及び閉蓋動作は両手を使わなければならず、片手が塞がっているときや、手に障害のある者が使用するには極めて不利となっていた。
【０００４】
また、落下してキャップが外れることがあり、かかる場合内容物たる化粧料等を損傷することがあった。
【０００５】
さらに内側ケーシングと操作つまみとが２部材として露出するため、容器デザインの自由性を狭めるという欠点があった。これは容器デザインの斬新性が製品の売上を左右する化粧容器にとって重大な関心事である。
【０００６】
本願発明はこのような点を解消することを目的とし、片手で簡単かつ確実に開蓋動作及び閉蓋動作をすることができる操作性の良好なノック式化粧容器を供することを目的とする。
【０００７】
また本願発明の他の目的は、落下等の有事の際に不測に開蓋しない、保護性の高い容器を供することである。
【０００８】
さらにまた本願発明は、すっきり感、統一感があり、デザインの自由性のある容器を供することをも目的とする。
【課題を解決するための手段】
【０００９】
上記目的達成のため、本願発明によるノック式化粧容器は、基端部に操作つまみが連設される内側ケーシング及び該内側ケーシングの先端部から上記操作つまみまでを被覆するキャップを有するノック式の化粧容器であって、上記キャップは外蓋と内蓋とからなり、上記内蓋は上死点方向に付勢され、上記外蓋の底部にガイド部を設け、該ガイド部の中央部に設ける柱状突起の一の面にならい体を突設し、該ならい体に上記内蓋に連動するカム状部をならわせ、上記ならい体に沿って形成するカム溝路に上記カム状部を一方向に循環して摺動させることを特徴とする。
また、請求項１記載のノック式化粧容器において、上記カム溝路の基点が上記ならい体の分岐部に対し往路又は復路のいずれかの側に偏心して形成されることを特徴とする。
また、請求項１記載のノック式化粧容器において、上記カム状部は下死点時に上記ならい体の係止凹部に係止され、上死点時に上記基点に位置することを特徴とする。
また、請求項１記載のノック式化粧容器において、上記カム溝路が上記柱状突起の一の面であって上記ならい体の外周に形成されることを特徴とする。
また、請求項１記載のノック式化粧容器において、上記カム状部が上記内蓋に枢支される可動ロッドに設けられることを特徴とする。
また、請求項３記載のノック式化粧容器において、上記係止凹部の出口側が傾斜面に形成されることを特徴とする。
また、請求項１記載のノック式化粧容器において、上記内蓋を上死点方向に付勢する手段がコイルスプリングからなることを特徴とする。
また、請求項１記載のノック式化粧容器において、上記コイルスプリングを上記ガイド部と上記柱状突起との間に装着することを特徴とする。
また、請求項８記載のノック式化粧容器において、上記コイルスプリングを上記ガイド部の内壁に沿わせてたわませることを特徴とする。
また、請求項８記載のノック式化粧容器において、上記ガイド部の内壁を内側に膨設させ、上記コイルスプリングをこの膨設した内壁に沿わせてたわませることを特徴とする。
また、請求項８記載のノック式化粧容器において、上記柱状突起の外壁を外側に膨設させ、上記コイルスプリングをこの膨設した外壁に沿わせてたわませることを特徴とする。
【発明の効果】
【００１０】
開蓋動作は、操作つまみを押すとカム状部は係止点の位置から復路始点の位置に移行しここで押し止まりカム状部の係止が解除されるので、コイルスプリングの力によりカム状部が基点の位置までカム溝路を移行する。この状態で操作つまみを外蓋より引き抜けばよいので簡単かつ容易に開蓋することができる。
【００１１】
閉蓋動作は、内側ケーシングを内蓋内に入れ操作つまみを押すと、カム状部が基点の位置より往路始点を経て往路終点の位置で押し止まり、次いで、コイルスプリングの力によりカム状部が係止凹部の位置に移行し、該係止凹部に確実に係止される。よって簡単かつ容易に閉蓋することができる。
【００１２】
このように開蓋動作及び閉蓋動作はいずれもワンプッシュで行うことができるので、片手で使用したり格納することができる。よって片手が塞がっているときや、手に障害のある者が使用するのに支障がない。
【００１３】
また、閉蓋はカム状部が係止凹部に確実に係止されるため、落下時等の有事においても不測の開蓋を防止することができる。
【００１４】
さらに、キャップが内側ケーシングの先端部から操作つまみまでを被覆するため、内側ケーシングと操作つまみとの結合デザインが如何様であろうともこれに影響されず、常にすっきり感、統一感のある容器とすることができ、容器デザインの自在性を確保することができる。
【発明を実施するための最良の形態】
【００１５】
次に、実施の形態を示す図面に基づき本願発明によるノック式化粧容器をさらに詳しく説明する。なお、便宜上同一の機能を奏する部分には同一の符号を付してその説明を省略する。
【００１６】
図１乃至図９において、１はキャップであり、外蓋２と内蓋３とからなる。外蓋２は断面が四角形の金属製の筒状の部材からなり、底部４を有する。該底部４にはガイド部５を設ける。該ガイド部５はポリオキシメチレン（ＰＯＭ）等のポリアセタール系樹脂からなり、底面７と、該底面７より直立して対設された壁面９と、底面７の中央部に立設された柱状突起１１を有する。６は内蓋３に設けられたガイドであり、内蓋３が上下方向に移動するときの案内、回転方向の位置決め（回り止め）及び組立時の方向性を間違えないようにする機能がある。５ａは該ガイド６が嵌合するためのガイド部５に設けられる溝である。上記柱状突起１１は、図６に最もよく示すように、横断面が１辺の欠損した四角形（コ字状）に形成された柱状枠体からなり、後記コイルスプリング２１を挿入する際のガイドを兼ねる。１１ａは該柱状突起１１の４個の隅部である。該隅部１１ａはいずれも該コイルスプリング２１に抵触しないよう、コイルスプリング２１の内径より小に形成される。該柱状突起１１の正面１３にならい体１５を突設する。該ならい体１５は正面視ハート様に形成され、底面７側に係止凹部１６を設けるとともに反対側の先端部に往路１９ａ（図９に示す）と復路１９ｂ（図９に示す）とを区画形成する分岐部１７を設けてなる。上記柱状突起１１の正面１３には、上記ならい体１５の外周に沿ってカム溝路１９（図９に示す）を形成する。該カム溝路１９は、図９に示すように移行軌跡の途中において、上記係止凹部１６の反対側に基点Ｐ１を形成し、該基点Ｐ１の直下に往路始点Ｐ２を形成する。また上記ならい体１５の係止凹部１６に係止点Ｐ４を形成し、該係止凹部１６の両端部１５ａ、１５ｂの斜め下方の位置に夫々往路終点Ｐ３、復路始点Ｐ５を形成する。２０は上記ガイド部５を底部４に固着するための接着部である。
【００１７】
上記外蓋２内にはポリオキシメチレン（ＰＯＭ）等のポリアセタール系樹脂製の内蓋３を移動自在に設ける。上記内蓋３は底部３ａを有する筒状の部材からなり、上記ガイド部５の壁面９と柱状突起１１との間に設けるコイルスプリング２１により、上死点方向に付勢される。上記内蓋３の内側には、筒状部材からなる内側ケーシング２３が移動自在に収納される。該内側ケーシング２３は基端部が操作つまみ２５内に摺嵌され、該操作つまみ２５と相対的に摺動自在となっている。該内側ケーシング２３内には、螺旋溝３５ａを設けた螺旋管３５を摺嵌し、該螺旋管３５内に長手方向に長溝３７ａを設けた溝管３７を摺嵌する。そして該溝管３７内に化粧料３９を収納した中皿（図示省略）を摺嵌し、該中皿の周壁に突設した突起３８を上記長溝３７ａを介して螺旋溝３５ａに係合し、上記操作つまみ２５と内側ケーシング２３とを相対的に摺動させることにより、中皿を内側ケーシング２３より出入れ自在とする。
【００１８】
上記内蓋３は底部３ａに取付片２７を設け、該取付片２７に可動ロッド２９を枢支する。該可動ロッド２９は、基端部に上記取付片２７に回動自在に支承される回動突起３１を設け、該回動突起３１を上記取付片２７の軸孔２７ａに回転自在に嵌合してある。上記可動ロッド２９の反対側の先端部にはカム状部３３を設ける。該カム状部３３には図５に最も良く示すように摺動用の摺動凹部３３ａを設け、他方上記ならい体１５の対応部位に摺動突部１５ｃ（図６（ｃ）、図７等に示す）を設けるのが耐久上望ましい。上記可動ロッド２９は上記内蓋３に連動し、先端部に設けたカム状部３３が上記ならい体１５に沿ってカム溝路１９を時計回り（図９にＱ方向で示す）に移行する。３ｂは上記内蓋３の口縁部にリブ状に設けるスペーサリブ、３ｃは内蓋３の口縁部に設けた若干の切欠である。いずれも上記内側ケーシング２３の出入れに際し内側ケーシング２３が内蓋３の口縁部に接触して内側ケーシング２３の外壁に損傷を与えるのを防止する。３ｅは内蓋３の内壁に設けられる嵌合用リブであり、該嵌合用リブ３ｅを介して内側ケーシング２３が嵌合される。
【００１９】
ここで図９を参照してカム溝路１９について述べる。上記カム溝路１９は図９（Ｙ）に示すようにいくつかの高さレベルとなっている。基点Ｐ１から往路の出発点となる往路始点Ｐ２を経て直ぐのＡ点までは通常位レベルｈｏの平坦面である。次いでＡ点からＢ点までは上り傾斜面となり高位レベルｈ＋となる。Ｂ点からＣ点まではこの状態のまま高位レベルｈ＋の平坦面である。Ｃ点にて段差が形成されて通常位レベルｈｏに復帰する。この状態で往路終点Ｐ３及び係止点Ｐ４に向かっての方向転換点であるＤ点を経てＥ点まで平坦面である。係止点Ｐ４の入り口となるＥ点からＦ点までは下り傾斜面であり、また出口となるＧ点からＨ点までは上り傾斜面である。そしてＦ点・Ｇ点間は最も低い低位レベルｈ−の高さの平坦面となり、ここに係止点Ｐ４が形成される。次いで、Ｈ点・Ｉ点の間が通常位レベルｈｏの平坦面に復帰後、Ｉ点にて再び低位レベルｈ−となる。Ｉ点からＪ点までを低位レベルｈ−の高さの平坦面とし、ここに復路始点Ｐ５を形成する。次いでＪ点からＫ点まで当初の通常位レベルｈｏになるまで上り傾斜面とし、Ｋ点から復路終点となる基点Ｐ１まで通常位レベルｈｏの平坦面が続く。このようなカム溝路１９上を可動ロッド２９のカム状部３３は、内蓋３がＴ方向（図１に示す）に押圧されるとき、Ｑ方向に摺接・移行する。
【００２０】
上記において往路終点Ｐ３と係止点Ｐ４との間の偏心量は小のため、Ｅ点・Ｆ点間を傾斜面とし、カム状部３３の円滑かつ安全な移行を図っている。
【００２１】
開蓋動作をする場合、容器は図７に示すように下死点状態になっている。このときカム状部３３は係止点Ｐ４に位置している。ここで操作つまみ２５をコイルスプリング２１に抗して押すと、カム状部３３と係止凹部１６との係止が解除される。このときカム状部３３は係止点Ｐ４の位置から復路始点Ｐ５の位置に移行し、ここで押し止まりとなる。次いで押圧を解除するとコイルスプリング２１の力により内側ケーシング２３及び操作つまみ２５を収納する内蓋３が矢印Ｔ（図１に示す）の反対方向に移動する。このときカム状部３３は復路始点Ｐ５の位置から復路の終点となる基点Ｐ１に移行している。よってこの状態で操作つまみ２５及び内側ケーシング２３を外蓋２から引き抜いて使用する。
【００２２】
次に閉蓋動作をする場合、容器は図８に示すように上死点状態になっている。ここで操作つまみ２５を矢印Ｔ（図１に示す）方向に押すと、カム状部３３は基点Ｐ１の位置より往路始点Ｐ２を経て往路終点Ｐ３の位置で押し止まりとなる。次いで押圧を解除するとコイルスプリング２１の力により内蓋３が矢印Ｔ（図１に示す）の反対方向に若干戻る。このとき内側ケーシング２３の先端部から操作つまみ２５の基端部までは完全に外蓋２内に格納されている。そしてカム状部３３は往路終点Ｐ３の位置から係止点Ｐ４に移行し、ここでカム溝路１９の低位レベルｈ−の高さとなっている係止凹部１６に確実に係止される。
【００２３】
なお、本願発明における化粧料の出入れは通常の場合と同様であり、操作つまみ２５を回動し内側ケーシング２３より適宜繰り出しまた繰り入れる。
【００２４】
上記実施の形態において、基点Ｐ１がならい体１５の分岐部１７に対し往路１９ａ側に偏心して形成されているから、カム状部３３がカム溝路１９を逆送しそこに形成されている段差例えばＩ点（図９（Ｙ）に示す）に当たって移行が阻止され動作不能となることを防止する。よって使用者はワンプッシュをするだけの動作でよいから、片手で簡単かつ確実に開蓋動作及び閉蓋動作をすることができる。
【００２５】
閉蓋はカム状部３３が係止凹部１６に確実に係止されているため、落下時等の有事においても不測の開蓋を防止することができる。
【００２６】
キャップ１は内側ケーシング２３及び操作つまみ２５を全部被覆するので、内側ケーシング２３と操作つまみ２５との結合デザインが如何様であろうともこれに影響されず、常にすっきり感、統一感のある外観としたノック式化粧容器とすることができ、容器デザインの自在性を確保することができる。
【００２７】
カム状部３３はならい体１５にならってカム溝路１９を移行するため、可動ロッド２９の弾性その他の材質、熱変形、経時変化等の影響を受けにくいので動作が安定する効果がある。
【００２８】
ならい体１５のカム溝路１９を種々に変更することにより、係止音や動作感覚を変更することができ、多様なニーズに対応することができる。
【００２９】
係止点Ｐ４の出口側を傾斜面とすることにより、偏心量の少なさをカバーし、また復路始点Ｐ５の位置から係止点Ｐ４の位置への逆送を防止する。
【００３０】
本願発明は上記した実施の形態に限定されない。例えば外蓋２、内蓋３の素材は任意である。また、容器の断面形状は任意であり、外蓋２、内蓋３、内側ケーシング２３、操作つまみ２５を断面円形又は任意の多角形断面とすることができる。また、カム溝路１９の高さレベルは任意である。例えば、カム溝路１９の高さレベルを移行軌跡を通じて同一のレベルとすることもできる。またカム溝路１９の高さレベルは２種類又は４種類以上とすることもできる。図１０は別の観点からみたカム溝路１９の変形例である。この場合、係止点Ｐ４の入口であるＥ点には傾斜面が形成されておらず、直接最も低い低位レベルｈ−の高さとなっている。また図１０の場合、分岐部１７に対する基点Ｐ１の偏心度合が小であるため、カム状部３３の逆送防止を図って移行動作の安定・確実を期するため、Ｌ点を高位レベルｈ＋にするとともに、Ｌ点において段差を形成している。
【００３１】
図１１乃至図１３は、さらに別の観点からみた上記実施形態の変形例であり、防振のため、コイルスプリング２１をたわませて設置する場合である。図１１はガイド部５の一の壁面９側の底面７に台座８を設け、コイルスプリング２１をこの台座８に下死点時においてたわむようにして設置し、たわませて膨らんだコイルスプリング２１を一の壁面９の内壁９ａに接触させる。図１２はガイド部５の壁面９の内壁９ｂを内側に膨設させ、この膨設した内壁９ｂに沿ってコイルスプリング２１を下死点時においてたわむようにして設置し、たわませて膨らんだコイルスプリング２１を該内壁９ｂに接触させる。図１３は柱状突起１１の外壁１１ｂを外側に膨設させ、この膨設した外壁１１ｂに沿ってコイルスプリング２１を下死点時においてたわむようにして設置し、たわませて膨らんだコイルスプリング２１を該外壁１１ｂに接触させる。いずれの場合も、コイルスプリング２１の伸長及び収縮をガイドする部分である上記内壁９ａ（図１１）、上記内壁９ｂ（図１２）、上記外壁１１ｂ（図１３）が伸長及び収縮時にコイルスプリング２１と接触して振動を吸収するため、これにより防振することができる。
【００３２】
図１４乃至図２１はカム状部４４を固定とし、カム溝路１９の側を可動とした第２の実施の形態を示す。
【００３３】
図１４及び図１９において、内蓋３の底部は筒状に延長され延長内蓋４１となっている。該延長内蓋４１は一対の扁平に形成された対向面部４１ａを有し、該対向面部４１ａの中央部にならい体１５を設け、該ならい体１５の外周に沿ってカム溝路１９（図１９に示す）を形成する。上記対向面部４１ａの個数は任意であり、１個でもよい。一方外蓋２側では、ガイド部５の底面７より、弾性素材からなるピンロッド４３を上記対向面部４１ａに対応させて一対立設し、該各ピンロッド４３の先端部に上記カム溝路１９に摺動自在に嵌合する突起状のカム状部４４を各々一個づつを設ける。コイルスプリング２１は上記延長内蓋４１と底面７との間に内設され、これにより延長内蓋４１は上死点方向に付勢される。上記延長内蓋４１は内蓋３が矢印Ｔ方向に押圧されるとコイルスプリング２１の力に抗して同一のＴ方向に押圧されるので、カム溝路１９もまたは同一のＴ方向に移動する。この移動はガイドピン４５によりガイドされる。即ち、外蓋２に嵌合して固着されたガイド部５には長手方向に沿ってガイド溝４７が設けられ、該ガイド溝４７にガイドピン４５が摺動自在に嵌合されている。このガイドピン４５はまた内蓋３の摺動時の脱落と回転を防止する機能もある。３ｄ（図１７（ｃ）に示す）は内蓋３の底部３ａ側の内面にリブ状に設ける保持リブであり、内側ケーシング２３を保持する。この実施例では、図１５に示すように、外蓋２、内蓋３、内側ケーシング２３及び操作つまみ２５を含め容器の断面を円形としたため、蓋をしたまま容器が不測に回転すると化粧料が繰り出され内蓋３の底部３ａの内面に当たって損傷し（これを「頭突き現象」という）、容器を汚損することがある。保持リブ３ｄはこの頭突き現象を防止する。その余の構成は図１で述べた実施の形態と同一である。
【００３４】
上記カム溝路１９は図１９（Ｙ）に示すようにいくつかの高さレベルとなっている。基点Ｐ１から往路の出発点となる往路始点Ｐ２を経て直ぐのＡ点までは低位レベルｈ−の平坦面である。次いでＡ点からＢ点までは高位レベルｈ＋になるまで上り傾斜面となる。Ｂ点からＣ点まではこの状態のまま高位レベルｈ＋の平坦面である。Ｃ点にて段差が形成されて通常位レベルｈｏに復帰する。この状態で往路終点Ｐ３及び係止点Ｐ４に向かっての方向転換点であるＤ点まで平坦面である。Ｄ点で段差が形成されて低位レベルｈ−となり、これがＥ点まで続き、ここに係止点Ｐ４が形成される。係止点Ｐ４の出口となるＥ点からＦ点までは上り傾斜面となり通常位レベルｈｏに復帰する。Ｆ点・Ｇ点間はこの通常位レベルｈｏのまま続き、Ｇ点で段差が形成されて低位レベルｈ−となり、この状態で平坦面のまま基点Ｐ１まで続く。上記構成のカム溝路１９は、内蓋３及び延長内蓋４１が矢印Ｔ方向（図１４に示す）に押圧されると同一のＴ方向に押圧されるので、同一のＴ方向に移動する。
【００３５】
開蓋動作をする場合、容器は図１４（Ｘ）に示すように下死点状態になっている。このときカム状部４４は係止点Ｐ４に位置している。ここで操作つまみ２５をコイルスプリング２１に抗して押すと延長内蓋４１も矢印Ｔ方向（図１４に示す）に押圧されるので、カム状部４４と係止凹部１６との係止が解除される。このときカム状部４４は係止点Ｐ４の位置から復路始点Ｐ５の位置に移行し、ここで押し止まりとなる。次いで押圧を解除するとコイルスプリング２１の力により内側ケーシング２３及び操作つまみ２５を収納する内蓋３及び延長内蓋４１が矢印Ｔ（図１４に示す）の反対方向に移動する。このときカム状部４４は復路始点Ｐ５の位置から復路の終点となる基点Ｐ１に移行している。よってこの状態で操作つまみ２５及び内側ケーシング２３を外蓋２から引き抜いて使用する。
【００３６】
次に閉蓋動作をする場合、容器は図１４（Ｙ）に示すように上死点状態になっている。ここで操作つまみ２５を矢印Ｔ（図１４に示す）方向に押すと、カム状部４４は基点Ｐ１の位置より往路始点Ｐ２を経て往路終点Ｐ３の位置で押し止まりとなる。次いで押圧を解除するとコイルスプリング２１の力により内蓋３及び延長内蓋４１が矢印Ｔ（図１４に示す）の反対方向に若干戻る。このとき内側ケーシング２３の先端部から操作つまみ２５の基端部までは完全に外蓋２内に格納されている。そしてカム状部４４は往路終点Ｐ３の位置から係止点Ｐ４に移行し、ここでカム溝路１９の低位レベルｈ−の高さとなっている係止凹部１６に確実に係止される。
【００３７】
図２０はカム溝路１９の溝形状を変更した他の実施例を示す。この場合基点Ｐ１が通常位レベルｈｏの高さから出発し、復路１９ｂにおいてＧ点からＨ点まで低位レベルｈ−の平坦面が続いた後、Ｈ点からＩ点まで上り傾斜面となって通常位レベルｈｏとなり、この状態で平坦面のまま基点Ｐ１まで続く。その余のカム溝路１９の構成は図１９の例と同様である。
【００３８】
図２１は上記保持リブ３ｄの位置を内蓋３の上端部に設けた変形例を示す。このように構成すると化粧料の頭突き現象を一層効果的に防止することができる。なお、容器の断面が図１例のように多角形の場合は蓋をしたまま回転することができないので頭突き現象のおそれがないため、保持リブ３ｄの位置は任意である。
【００３９】
このように第２の実施の形態によっても第１の実施の形態と同様の効果を有する。
【００４０】
また第２の実施の形態の場合、部品点数が大幅に減少するため、組立の手間とコストが減少する効果がある。
【産業上の利用可能性】
【００４１】
本願発明は、口紅等の棒状化粧料、又は、化粧用筆、ブラシ、アトマイザー等の化粧用具を収納するノック式化粧容器に活用される。
【図面の簡単な説明】
【００４２】
【図１】本願発明による化粧容器の第１の実施の態様を示し、容器を半割し右半分に示す（Ｘ）は下死点における一部断面正面図、同左半分に示す（Ｙ）は上死点における一部断面正面図である。
【図２】（Ａ）は図１のＡ−Ａ断面図、（Ｂ）は同Ｂ−Ｂ断面図、（Ｃ）は同Ｃ−Ｃ断面図である。
【図３】図１要部の分解斜視図である。
【図４】図１の内蓋を示し、（Ａ）はその正面図、（Ｂ）はその左側面図、（Ｃ）はその中央縦断面図、（Ｄ）はその平面図、（Ｅ）はその底面図、（Ｆ）はその斜面図である。
【図５】図１の可動ロッドを示し、（Ａ）はその正面図、（Ｂ）はその左側面図、（Ｃ）はその中央縦断面図、（Ｄ）はその平面図、（Ｅ）はその底面図、（Ｆ）はその斜面図である。
【図６】図１のガイド部を示し、（Ａ）はその正面図、（Ｂ）はその左側面図、（Ｃ）はその中央縦断面図、（Ｄ）はその平面図、（Ｅ）はその斜面図である。
【図７】図１の右半分に示す下死点時の一部断面左側面図である。
【図８】図１の左半分に示す上死点時の一部断面左側面図である。
【図９】（Ｘ）は図１の柱状突起の拡大図であり、カム溝路におけるカム状部の移動軌跡を説明する図、（Ｙ）は（Ｘ）のカム溝路の拡大展開図である。
【図１０】（Ｘ）は柱状突起の他の実施例を示す拡大図であり、カム溝路におけるカム状部の移動軌跡を説明する図、（Ｙ）は（Ｘ）のカム溝路の拡大展開図である。
【図１１】第１の実施の態様を変形した第１の実施例を示し、（Ｘ）は下死点における一部断面正面図、（Ｙ）は上死点における一部断面正面図である。
【図１２】第１の実施の態様を変形した第２の実施例を示し、容器を半割し右半分に示す（Ｘ）は下死点における一部断面正面図、同左半分に示す（Ｙ）は上死点における一部断面正面図である。
【図１３】第１の実施の態様を変形した第３の実施例を示し、（Ｘ）は下死点における一部断面正面図、（Ｙ）は上死点における一部断面正面図である。
【図１４】本願発明による化粧容器の第２の実施の態様を示し、容器を半割し右半分に示す（Ｘ）は下死点における一部断面正面図、同左半分に示す（Ｙ）は上死点における一部断面正面図である。
【図１５】図１４のＡ−Ａ断面図である。
【図１６】図１４要部の分解斜視図である。
【図１７】図１４の内蓋を示し、（Ａ）はその正面図、（Ｂ）はその左側面図、（Ｃ）はその中央縦断面図、（Ｄ）はその平面図、（Ｅ）はその底面図、（Ｆ）はその斜面図である。
【図１８】図１４のガイド部を示し、（Ａ）はその正面図、（Ｂ）はその左側面図、（Ｃ）はその中央縦断面図、（Ｄ）はその平面図、（Ｅ）はその斜面図である。
【図１９】（Ｘ）は図１４のＧ部拡大図、（Ｙ）は（Ｘ）のカム溝路の拡大展開図である。
【図２０】溝形状の他の実施例であり、（Ｘ）は図１４のＧ部相当部の拡大図、（Ｙ）は（Ｘ）のカム溝路の拡大展開図である。
【図２１】本願発明による化粧容器の第２の実施の態様の他の実施例を示し、容器を半割し左半分に示す（Ｘ）は下死点における一部断面正面図、同右半分に示す（Ｙ）は上死点における一部断面正面図である。
【符号の説明】
【００４３】
１      キャップ
２      外蓋
３      内蓋
３ａ    底部
３ｂ    スペーサリブ
３ｃ    切欠
３ｄ    保持リブ
３ｅ    嵌合用リブ
４      底部
５      ガイド部
５ａ    溝
６      ガイド
７      底面
８      台座
９      壁面
９ａ    内壁
９ｂ    内壁
１１    柱状突起
１１ａ  隅部
１１ｂ  外壁
１３    正面
１５    ならい体
１５ａ  両端部
１５ｂ  両端部
１５ｃ  摺動突部
１６    係止凹部
１７    分岐部
１９    カム溝路
１９ａ  往路
１９ｂ  復路
２０    接着部
２１    コイルスプリング
２３    内側ケーシング
２５    操作つまみ
２７    取付片
２７ａ  軸孔
２９    可動ロッド
３１    回動突起
３３    カム状部
３３ａ  摺動凹部
３４    カム
３５    螺旋管
３５ａ  螺旋溝
３７    溝管
３７ａ  長溝
３８    突起
３９    化粧料
４１    延長内蓋
４１ａ  対向面部
４３    ピンロッド
４４    カム状部
４５    ガイドピン
４７    ガイド溝
Ｐ１    基点
Ｐ２    往路始点
Ｐ３    往路終点
Ｐ４    係止点
Ｐ５    復路始点      
【図１】
2007061392.tif 000003
【図２】
2007061392.tif 000004
【図３】
2007061392.tif 000005
【図４】
2007061392.tif 000006
【図５】
2007061392.tif 000007
【図６】
2007061392.tif 000008
【図７】
2007061392.tif 000009
【図８】
2007061392.tif 000010
【図９】
2007061392.tif 000011
【図１０】
2007061392.tif 000012
【図１１】
2007061392.tif 000013
【図１２】
2007061392.tif 000014
【図１３】
2007061392.tif 000015
【図１４】
2007061392.tif 000016
【図１５】
2007061392.tif 000017
【図１６】
2007061392.tif 000018
【図１７】
2007061392.tif 000019
【図１８】
2007061392.tif 000020
【図１９】
2007061392.tif 000021
【図２０】
2007061392.tif 000022
【図２１】
2007061392.tif 000023